(57)【特許請求の範囲】
【請求項１】
車両の入出庫が行われる乗入階と該車両が格納棚に格納される格納階との間で、搬送機によって車両を昇降させる機械式駐車装置の制御装置であって、
前記機械式駐車装置の運転モードとして、前記搬送機を前記乗入階に待機させる入庫優先モードを設定する第１設定手段と、
前記第１設定手段によって前記入庫優先モードが設定された場合、車両の入庫又は出庫が完了した後、前記搬送機を所定の待機時間で前記格納階に待機させ、その後に前記搬送機を前記乗入階に待機させる設定を可能とする第２設定手段と、
を備える機械式駐車装置の制御装置。
【請求項２】
前記第２設定手段は、前記待機時間を予め指定した固定時間とする請求項１記載の機械式駐車装置の制御装置。
【請求項３】
前記第２設定手段は、前記待機時間を時間帯によって異なる時間とする請求項１又は請求項２記載の機械式駐車装置の制御装置。
【請求項４】
前記入庫優先モードは、予め設定した車種を指定車種として、入庫車両を該指定車種に対応する前記格納棚に格納し、
前記入庫優先モードにおいて、前記指定車種を固定する固定モード、又は予め設定した所定条件に応じて前記指定車種の変更を行う変更モードに切り替える切替手段を備える請求項１から請求項３の何れか１項記載の機械式駐車装置の制御装置。
【請求項５】
前記変更モードは、前記所定条件として、前記格納棚のうち、最も空きの多い前記格納棚の車種に前記指定車種を変更する請求項４記載の機械式駐車装置の制御装置。
【請求項６】
前記変更モードは、前記所定条件として、予め設定したスケジュールに応じて前記指定車種を変更する請求項４又は請求項５記載の機械式駐車装置の制御装置。
【請求項７】
前記変更モードは、出庫予約件数が所定数以上となった場合、前記指定車種の設定を解除する請求項４から請求項６の何れか１項記載の機械式駐車装置の制御装置。
【請求項８】
前記入庫優先モードにおいて、車両を載置していない前記搬送機が前記格納階と前記乗入階との間を昇降している最中に次の出庫が発生した場合、前記搬送機の昇降を停止させ、該出庫させる車両が格納されている前記格納階へ前記搬送機を昇降させる請求項１から請求項７の何れか１項記載の機械式駐車装置の制御装置。
【請求項９】
車両の入出庫が行われる乗入階と、
車両が格納棚に格納される格納階と、
前記乗入階と前記格納階の間で、車両を昇降させる搬送機と、
請求項１から請求項８の何れか１項に記載の制御装置と、
を備える機械式駐車装置。
【請求項１０】
車両の入出庫が行われる乗入階と該車両が格納棚に格納される格納階との間で、搬送機によって車両を昇降させる機械式駐車装置の制御方法であって、
前記機械式駐車装置の運転モードとして、前記搬送機を前記乗入階に待機させる入庫優先モードを設定する第１工程と、
前記入庫優先モードが設定された場合、車両の入庫又は出庫が完了した後、前記搬送機を所定の待機時間で前記格納階に待機させ、その後に前記搬送機を前記乗入階に待機させる設定を可能とする第２工程と、
を含む機械式駐車装置の制御方法。
【発明の詳細な説明】
【技術分野】
【０００１】
本発明は、機械式駐車装置の制御装置、機械式駐車装置、及び機械式駐車装置の制御方法に関するものである。
【背景技術】
【０００２】
乗入階と格納階との間でリフト搬送機（パレット）を昇降させるエレベータ式の機械式駐車装置が普及している。このような機械式駐車装置には、入庫優先モードや出庫優先モードといった運転モードが設定され、運用されているものがある。
入庫優先モードは、車両の載置されていないパレットである空パレットを乗入階に待機させ、次の入庫処理に速やかに対応させる運転モードである。出庫優先モードは、パレットを搬送するリフト搬送機を格納階で待機させ、出庫処理に速やかに対応させる運転モードである。
【０００３】
ここで、入庫優先モードと出庫優先モードを切り替えるために、特許文献１には、車両の入庫、出庫を検出するセンサと、センサの検出データに基づいて時間帯毎の入庫と出庫の優先度を判別し、入庫優先又は出庫優先の何れかの運転モードで運転する機械式駐車装置が開示されている。
また、特許文献２には、複数の出庫呼出しデータがあるときに、入庫優先モードから出庫優先モードに自動的に切換える一方、車両の出庫呼出しデータがないときに、入庫優先モードに自動的に復帰させる機械式駐車装置が開示されている。
【先行技術文献】
【特許文献】
【０００４】
【特許文献１】特開平５−５２０５７号公報
【特許文献２】特開平１０−１４０８６７号公報
【発明の概要】
【発明が解決しようとする課題】
【０００５】
しかしながら、特許文献１及び特許文献２に開示されている機械式駐車装置は、入庫優先モードと出庫優先モードとの切り替えに関するものであり、入庫優先モードを効率的に運用するものではない。
【０００６】
本発明は、このような事情に鑑みてなされたものであって、入庫優先モードをより効率的に運用できる、機械式駐車装置の制御装置、機械式駐車装置、及び機械式駐車装置の制御方法を提供することを目的とする。
【課題を解決するための手段】
【０００７】
上記課題を解決するために、本発明の機械式駐車装置の制御装置、機械式駐車装置、及び機械式駐車装置の制御方法は以下の手段を採用する。
【０００８】
本発明の第一態様に係る機械式駐車装置の制御装置は、車両の入出庫が行われる乗入階と該車両が格納棚に格納される格納階との間で、搬送機によって車両を昇降させる機械式駐車装置の制御装置であって、前記機械式駐車装置の運転モードとして、前記搬送機を前記乗入階に待機させる入庫優先モードを設定する第１設定手段と、前記第１設定手段によって前記入庫優先モードが設定された場合、車両の入庫又は出庫が完了した後、前記搬送機を所定の待機時間で前記格納階に待機させ、その後に前記搬送機を前記乗入階に待機させる設定を可能とする第２設定手段と、を備える。
【０００９】
本構成に係る機械式駐車装置は、搬送機によって乗入階と格納階との間で車両を昇降させる。なお、搬送機は、パレットを用いて車両を昇降させてもよい。
【００１０】
機械式駐車装置の運転モードとして、搬送機を乗入階に待機させる入庫優先モードが第１設定手段によって設定される。入庫優先モードは、搬送機が乗入階に待機するため、次が入庫処理の場合に速やかに対応できる。しかしながら、例えば、次が入庫処理ではなく出庫処理の場合、乗入階に搬送機が待機しているため、この搬送機を格納階へ移動させた後に、出庫させる車両を搬送機によって格納階から乗入階へ昇降させなければならない。このような場合では、入庫優先モードが設定されていない場合に比べて出庫に要する時間が長くなる。このように、機械式駐車装置を入庫優先モードで運用しても、効率的に運用できない場合があった。
【００１１】
そこで、入庫優先モードが設定された場合、車両の入庫又は出庫が完了した後、搬送機を所定の待機時間で格納階に待機させ、その後に搬送機を乗入階に待機させる設定が第２設定手段によって可能とされる。
第２設定手段による設定では、入庫優先モードが設定されても、車両の入庫又は出庫が完了した後、所定の待機時間の間、搬送機が格納階に待機する。これにより、車両の入庫又は出庫が完了した直後に車両の出庫を行う等、車両を格納階から乗入階へ昇降させる必要が生じた場合でも、搬送機が格納階で既に待機しているので、速やかに出庫処理が可能となる。
一方、待機時間が経過すると、搬送機は乗入階へ昇降され、乗入階に待機する。これにより、機械式駐車装置は、次が入庫処理の場合に速やかに対応できる。
【００１２】
従って、本構成によれば、入庫優先モードをより効率的に運用することができる。
【００１３】
上記第一態様では、前記第２設定手段が、前記待機時間を予め指定した固定時間とすることが好ましい。
【００１４】
本構成によれば、例えば待機時間は３０秒とされ、入庫優先モードをより効率的に運用することができる。
【００１５】
上記第一態様では、前記第２設定手段が、前記待機時間を時間帯によって異なる時間とすることが好ましい。
【００１６】
本構成によれば、例えば車両の入庫が集中する時間帯は待機時間が短く、車両の出庫が集中する時間帯は待機時間を長くする等、入庫優先モードをより効率的に運用することができる。
【００１７】
上記第一態様では、前記入庫優先モードが、予め設定した車種を指定車種として、入庫車両を該指定車種に対応する前記格納棚に格納し、前記入庫優先モードにおいて、前記指定車種を固定する固定モード、又は予め設定した所定条件に応じて前記指定車種の変更を行う変更モードに切り替える切替手段を備えることが好ましい。
【００１８】
本構成に係る入庫優先モードは、予め設定した車種を指定車種として、入庫車両を該指定車種に対応する格納棚に格納する。これにより、指定車種に該当する車両の入庫に要する時間が短くなる。
【００１９】
しかし、従来では、指定車種の変更は機械式駐車装置の管理者等によって手動で行われていた。すなわち、指定車種が一度設定されると手動で変更しない限り指定車種が固定されていた。指定車種を変更しないと、指定車種に対応する車両が優先的に入庫されたり、指定車種とは異なる車両が指定車種に対応する格納棚に格納される可能性があり、指定車種に対応する格納棚が他の格納棚に比べて満車となりやすかった。
【００２０】
そこで、本構成は、切替手段によって、指定車種を固定する固定モード、又は予め設定した所定条件に応じて指定車種の変更を行う変更モードに切り替えられる。固定モードは、上述したように、例えば管理者によって指定車種が手動で変更されるまで、指定車種が固定されるモードである。変更モードは、所定条件に応じて指定車種が自動的に変更されるモードである。
【００２１】
このように、本構成は、入庫優先モードで指定車種を手動又は自動で変更可能なので、入庫優先モードをより効率的に運用することができる。
【００２２】
上記第一態様では、前記変更モードが、前記所定条件として、前記格納棚のうち、最も空きの多い前記格納棚の車種に前記指定車種を変更することが好ましい。
【００２３】
本構成は、格納棚に格納されている車種の数に応じて指定車種を変更するので、指定車種が設定されている入庫優先モードをより効率的に運用することができる。
【００２４】
上記第一態様では、前記変更モードが、前記所定条件として、予め設定したスケジュールに応じて前記指定車種を変更することが好ましい。
【００２５】
本構成は、予め設定したスケジュールに応じて指定車種を変更するので、指定車種が設定されている入庫優先モードをより効率的に運用することができる。
【００２６】
上記第一態様では、前記変更モードが、出庫予約件数が所定数以上となった場合、前記指定車種の設定を解除することが好ましい。
【００２７】
出庫予約件数が所定数以上となると出庫が連続するため、指定車種を設定する必要性が無い。そこで、本構成は、出庫予約件数が所定数以上となった場合、指定車種の設定を解除するので、指定車種が設定されている入庫優先モードをより効率的に運用することができる。
【００２８】
上記第一態様では、前記入庫優先モードにおいて、車両を載置していない前記搬送機が前記格納階と前記乗入階との間を昇降している最中に次の出庫が発生した場合、前記搬送機の昇降を停止させ、該出庫させる車両が格納されている前記格納階へ前記搬送機を昇降させることが好ましい。
【００２９】
入庫優先モードでは、搬送機を乗入階に待機させるために格納階と乗入階との間で昇降させている最中に出庫が発生しても、搬送機はいったん乗入階に到着した後に出庫のために格納階へ再び戻っていた。これでは、出庫に要する時間が長くなる。
【００３０】
本構成によれば、入庫優先モードにおいて、車両を載置していない搬送機が格納階と乗入階との間を昇降している最中に次の出庫が発生した場合、搬送機の昇降を停止させる。その後、出庫させる車両が格納されている格納階へ搬送機が昇降される。
【００３１】
このように、入庫優先モードにおいて、搬送機を乗入階に待機させるために搬送機を昇降させている最中に次の出庫が発生すると入庫優先モードがキャンセルされ、搬送機は乗入階に昇降せず、格納階で一旦停止する。そして、搬送機は、格納階から出庫させる車両を取り出す。これにより、入庫優先モードにおいて出庫に要する時間が長くなることを抑制でき、入庫優先モードをより効率的に運用することができる。
【００３２】
本発明の第二態様に係る機械式駐車装置は、車両の入出庫が行われる乗入階と、車両が格納棚に格納される格納階と、前記乗入階と前記格納階の間で、車両を昇降させる搬送機と、上記記載の制御装置と、を備える。
【００３３】
本発明の第三態様に係る機械式駐車装置の制御方法は、車両の入出庫が行われる乗入階と該車両が格納棚に格納される格納階との間で、搬送機によって車両を昇降させる機械式駐車装置の制御方法であって、前記機械式駐車装置の運転モードとして、前記搬送機を前記乗入階に待機させる入庫優先モードを設定する第１工程と、前記入庫優先モードが設定された場合、車両の入庫又は出庫が完了した後、前記搬送機を所定の待機時間で前記格納階に待機させ、その後に前記搬送機を前記乗入階に待機させる設定を可能とする第２工程と、を含む。
【発明の効果】
【００３４】
本発明によれば、入庫優先モードをより効率的に運用できる、という優れた効果を有する。
【図面の簡単な説明】
【００３５】
【図１】本発明の第１実施形態に係る機械式駐車装置の概略図である。
【図２】本発明の第１実施形態に係る機械式駐車装置の電気的構成を示した機能ブロック図である。
【図３】本発明の第１実施形態に係る遠隔から入出庫予約される場合の予約情報の流れを説明するための図である。
【図４】入庫優先モードが設定された場合における入庫処理後のリフト搬送機の昇降を示す模式図である。
【図５】入庫優先モードが設定された場合における出庫処理後のリフト搬送機の昇降を示す模式図である。
【図６】出庫優先モードが設定された場合における入庫処理後のリフト搬送機の昇降を示す模式図である。
【図７】出庫優先モードが設定された場合における出庫処理後のリフト搬送機の昇降を示す模式図である。
【図８】本第１実施形態に係る操作盤の入出庫操作画像を示す図である。
【図９】本第１実施形態に係る入庫優先モードの処理の流れを示すフローチャートである。
【図１０】本第１実施形態に係る入庫優先モードの処理の流れを示すフローチャートである。
【図１１】本第２実施形態に係る入庫優先モードの処理の流れを示すフローチャートである。
【図１２】本第２実施形態に係る入庫優先モードの処理の流れを示すフローチャートである。
【発明を実施するための形態】
【００３６】
以下に、本発明に係る機械式駐車装置の制御装置、機械式駐車装置、及び機械式駐車装置の制御方法の一実施形態について、図面を参照して説明する。
【００３７】
〔第１実施形態〕
以下、本発明の第１実施形態について説明する。
【００３８】
図１は、本第１実施形態に係る機械式駐車装置１０の概略図である。
図１に示されるように、機械式駐車装置１０は、複数の階を有する構造物内に設置され、車両１２を昇降させるリフト搬送機１４、リフト搬送機１４が昇降（移動）する昇降路１６に沿って格納階１８に配設された格納棚１８Ａ、及びリフト搬送機１４により把持され、入出庫させる車両１２を載置させ、車両１２の種類（以下「車種」という。）に対応させた複数種類のパレット１７を備える。
上記車種とは、例えば、普通車、ミッドルーフ車、ハイルーフ車等の車高の相違による種類や、普通車、電気自動車、低床車両、バリアフリー車等の車両の特徴の相違や、充電必要性の有無による相違による車両１２の種類である。
【００３９】
なお、以下の説明において、機械式駐車装置１０へ入庫させる車両１２を入庫車両といい、機械式駐車装置１０から出庫させる車両１２を出庫車両という。また、車両１２が載置されていないパレット１７を空パレットといい、車両１２が載置されているパレット１７を実パレットという。
【００４０】
本第１実施形態では、機械式駐車装置１０を９０°旋回型の機械式駐車装置として説明するが、旋回角度は９０°に限定されず、例えば３０°や１８０°であってもよい。なお、９０°旋回型とは、車両１２を入出庫させる乗入階１３に車両１２を入庫させる向きと格納棚１８Ａに格納される向きとが９０°異なり、格納棚１８Ａに格納する場合に、乗入階１３の車両１２を９０°旋回させる方式である。
【００４１】
図１に示されるように、機械式駐車装置１０は、最下階である１階に乗入階１３を備え、乗入階１３の上階が格納階１８とされている。機械式駐車装置１０に一つ設けられる入出庫扉１５を開けて乗入階１３に車両１２を入庫させ、乗入階１３の上階である格納階１８の格納棚１８Ａに格納させる。また、機械式駐車装置１０は、出庫させる車両１２を格納棚１８Ａから取り出し、入出庫扉１５を開けて乗入階１３から出庫させる。
また、本第１実施形態に係る機械式駐車装置１０、乗入階１３が１階に設けられるが、乗入階１３の配設位置は特に限定されない。すなわち、乗入階１３が最上階とされ、格納階１８が乗入階１３よりも下階とされてもよく、乗入階１３が中階とされ、上階及び下階が格納階１８とされてもよい。
【００４２】
図２は、機械式駐車装置１０の電気的構成を示した機能ブロック図である。
機械式駐車装置１０は、操作盤１１、制御装置２０、動力ユニット２１、リフト搬送機１４、横送装置２２、及び旋回装置２３を備えている。
操作盤１１は、車両１２を入庫する操作（以下「入庫予約」という。）及び出庫する操作（以下「出庫予約」という。）を受け付ける。
制御装置２０は、操作盤１１に対する利用者による操作内容に基づいて、機械式駐車装置１０を制御する。制御装置２０は、例えば、ＣＰＵ（Central  Processing  Unit）、ＲＡＭ（Random  Access  Memory）、ＲＯＭ（Read  Only  Memory）、及びコンピュータ読み取り可能な記憶媒体等から構成されている。そして、各種機能を実現するための一連の処理は、一例として、プログラムの形式で記憶媒体等に記憶されており、このプログラムをＣＰＵがＲＡＭ等に読み出して、情報の加工・演算処理を実行することにより、各種機能が実現される。なお、プログラムは、ＲＯＭやその他の記憶媒体に予めインストールしておく形態や、コンピュータ読み取り可能な記憶媒体に記憶された状態で提供される形態、有線又は無線による通信手段を介して配信される形態等が適用されてもよい。コンピュータ読み取り可能な記憶媒体とは、磁気ディスク、光磁気ディスク、ＣＤ−ＲＯＭ、ＤＶＤ−ＲＯＭ、半導体メモリ等である。
【００４３】
そして、制御装置２０は、動力を供給する動力ユニット２１を介して、リフト搬送機１４によってパレット１７を乗入階１３と格納階１８との間で昇降させる。また、制御装置２０は、リフト搬送機１４と格納棚１８Ａとの間でパレット１７を横送させる横送装置２２、乗入階１３においてパレット１７を旋回させる旋回装置２３等を制御する。
【００４４】
さらに、制御装置２０は、予約盤３０を備えている。
予約盤３０も、入庫予約及び出庫予約を受け付け、実行部３１及び予約テーブル３２を備えている。
【００４５】
実行部３１は、入庫予約に応じて、乗入階１３において車両１２をパレット１７に入車させ、車両１２が載置された実パレットを格納棚１８Ａに格納させる入庫処理を実行する。また、実行部３１は、出庫予約に応じて、実パレットを格納棚１８Ａから取り出し、乗入階１３においてパレット１７から車両１２を出車させる出庫処理を実行する。具体的には、実行部３１は、実行テーブルに格納される運転処理を実行する。予約テーブル３２は、操作盤１１及び予約盤３０で受け付けた入庫予約及び出庫予約を記憶する。
【００４６】
なお、機械式駐車装置１０から離れた遠隔に予約盤３０が配置される場合には、図３に示されるように、遠隔の予約盤３０から予約テーブル３２に予約できる件数は最大でも１件とし、操作盤１１を介して予約テーブル３２に予約できる件数は最大でも１件とすることが好ましい。これにより、機械式駐車装置１０の予約テーブル３２が、予約盤３０からの予約、或いは、操作盤１１からの予約のどちらか一方で予約がいっぱいになることを防ぐ。従って、機械式駐車装置１０の予約テーブル３２は、予約盤３０からの予約と操作盤１１からの予約を均等に受け付けることができる。
【００４７】
さらに、制御装置２０は、運転モード設定部４０、遅延タイマー設定部４１、指定車種切替部４２、及びキャンセル設定部４３を備える。
【００４８】
運転モード設定部４０は、機械式駐車装置１０の運転モードを入庫優先モード又は出庫優先モードに設定する。なお、入庫優先モード又は出庫優先モードの設定の入力は、操作盤１１を介して機械式駐車装置１０の管理者によって行われる。
【００４９】
入庫優先モードは、空パレットを把持したリフト搬送機１４を乗入階１３に待機させ、次の入庫処理に速やかに対応させる運転モードである。すなわち、入庫優先モードは、実パレットを格納階１８へ格納する入庫処理が完了すると（図４（Ａ））、格納階１８から空パレットを把持したリフト搬送機１４を乗入階１３に昇降させ、乗入階１３に待機させる（図４（Ｂ））。また、入庫優先モードは、出庫処理が完了すると（図５（Ａ））、空パレットを把持したリフト搬送機１４を乗入階１３に待機させる（図５（Ｂ））。
【００５０】
なお、入庫優先モードでは、予め設定した車種を指定車種として、入庫車両を該指定車種に対応する格納棚１８Ａに格納することも可能とされている。
上述の図５（Ｂ）は、指定車種が設定されている例である。図５（Ｂ）では、出庫車両が載置されていた空パレットが指定車種とは異なるパレット１７であるため、空パレットを対応する格納棚１８Ａに戻した後に、指定車種に対応する空パレットを取り出し、把持したリフト搬送機１４が乗入階１３に待機する。
指定車種が設定されていない入庫優先モードでは、出庫処理が完了すると、空パレットを把持したリフト搬送機１４を格納階１８へ戻すことなく、そのまま乗入階１３に待機させる。
【００５１】
出庫優先モードは、リフト搬送機１４を格納階１８で待機させ、出庫処理に速やかに対応させる運転モードである。すなわち、出庫優先モードは、入庫処理が完了すると（図６（Ａ））、そのままリフト搬送機１４を格納階１８に待機させる（図６（Ｂ））。また、出庫優先モードは、出庫処理が完了すると（図７（Ａ））、乗入階１３からリフト搬送機１４を格納階１８に昇降させ、そのままリフト搬送機１４を格納階１８に待機させる（図７（Ｂ））。
【００５２】
遅延タイマー設定部４１は、入庫優先モードが設定された場合、車両１２の入庫又は出庫が完了した後、リフト搬送機１４を所定の待機時間で格納階１８に待機させ、その後にリフト搬送機１４を乗入階１３に待機させる設定（以下「遅延タイマー設定」という。）を可能とする。
【００５３】
指定車種切替部４２は、入庫優先モードにおいて。指定車種を固定する固定モード、又は予め設定した所定条件に応じて指定車種の変更を行う変更モードに切り替える設定（以下「指定車種切替設定」という。）を可能とする。
【００５４】
キャンセル設定部４３は、入庫優先モードにおいて、空パレットを把持したリフト搬送機１４が格納階１８と乗入階１３との間を昇降している最中に次の出庫（出庫予約）が発生した場合、リフト搬送機１４の昇降を停止させ、出庫車両が格納されている格納階１８へリフト搬送機１４を昇降させる設定（以下「キャンセル設定」という。）を可能とする。
【００５５】
なお、遅延タイマー設定、指定車種切替設定、キャンセル設定は、機械式駐車装置１０の管理者によって操作盤１１を介しその有無が決定される。
【００５６】
次に、本第１実施形態に係る機械式駐車装置１０の制御装置２０に係る作用を説明する。
【００５７】
〔遅延タイマー設定〕
入庫優先モードは、リフト搬送機１４が乗入階１３に待機するため、次が入庫処理の場合に速やかに対応できる。しかしながら、例えば、次が入庫処理ではなく出庫処理の場合、乗入階１３にリフト搬送機１４が待機しているため、このリフト搬送機１４を格納階１８へ移動させた後に、出庫車両をリフト搬送機１４によって格納階１８から乗入階１３へ昇降させなければならない。この乗入階１３から格納階１８へのリフト搬送機１４の昇降は無駄な動作であり、出庫優先モードに比べて出庫に要する時間が長くなる。このように、機械式駐車装置１０を入庫優先モードで運用しても、効率的に運用できない場合があった。
【００５８】
ここで、入庫優先モードが設定されている場合に入庫処理が行われると、リフト搬送機１４は、格納階１８に昇降する。また、指定車種が設定されている入庫優先モードでは出庫処理の場合でも、出庫後の空パレットが指定車種のものでない場合に、リフト搬送機１４は、格納階１８まで昇降し、指定車種に該当する空パレットを取り出す。このように、入庫優先モードでも、リフト搬送機１４が格納階１８に昇降するので、このときに格納階１８で一時的に待機することで、待機中に出庫予約がされた場合に速やかに出庫を行うことができる。
【００５９】
そこで、本第１実施形態に係る制御装置２０が備える遅延タイマー設定部４１は、入庫優先モードが設定されても、車両１２の入庫又は出庫が完了した後、所定の待機時間の間、リフト搬送機１４を格納階１８に待機させる。
【００６０】
このように、遅延タイマー設定により、車両１２の入庫又は出庫が完了した直後に車両１２の出庫を行う等、車両１２を格納階１８から乗入階１３へ昇降させる必要が生じた場合でも、リフト搬送機１４が格納階１８で既に待機しているので、速やかに出庫処理が可能となる。
一方、待機時間が経過すると、リフト搬送機１４は、乗入階１３へ昇降され、乗入階１３で待機する。これにより、機械式駐車装置１０は、次が入庫処理の場合に速やかに対応できる。
従って、本第１実施形態に係る機械式駐車装置１０は、入庫優先モードをより効率的に運用することができる。
【００６１】
なお、遅延タイマー設定は、待機時間を予め指定した固定時間（以下「時間固定」という。）、又は待機時間を時間帯によって異なる時間（以下「時間変動」という。）とする。
時間固定では、例えば待機時間は３０秒とされる。
時間変動では、例えば車両１２の入庫が集中する時間帯は待機時間を短く、車両１２の出庫が集中する時間帯は待機時間を長くする。より具体的には、例えば、入庫が集中する午前の時間帯の待機時間を短くし（例えば１５秒）、出庫が集中する夕方は待機時間を長くし（例えば４５秒）、午前と夕方との間である日中の平準時は午前の待機時間と夕方の待機時間との間（例えば３０秒）とする。
なお、以下の説明において、待機時間を遅延タイマーともいう。
【００６２】
なお、時間固定又は時間変動の設定は、機械式駐車装置１０の管理者によって操作盤１１を介して切り替えられる。
【００６３】
また、遅延タイマーのカウントダウンを示す値は、操作盤１１の操作画面に表示されてもよい。
図８は、操作盤１１の操作画面に表示される管理者用の入出庫操作画像５０の一例である。
入出庫操作画像５０は、例えば機械式駐車装置１０の内部の構造が簡略的に表示されており、各格納棚１８Ａを示すアイコン１８Ａｉが、その各々の番号と、空車／在車状況と共にリアルタイムに表示されている。空車のアイコン１８Ａｉにはパレット１７を示す画像のみが表示され、在車のアイコン１８Ａｉにはパレット１７と、その上に載置された車両１２の画像が表示される。また、入出庫操作画像５０は、リフト搬送機１４の位置をリアルタイムに示すアイコン１４ｉが表示される。そして、入出庫操作画像５０の上方には、遅延タイマーのカウントダウン値５２が表示される。
これにより、管理者は、リフト搬送機１４の位置及び遅延タイマーのカントダウン値を認識でき、機械式駐車装置１０の次の動作を簡易に予測できる。
【００６４】
〔指定車種切替設定〕
入庫優先モードは、予め設定した車種を指定車種として、指定車種に対応したパレット１７を乗入階１３に待機させ、入庫車両を該指定車種に対応する格納棚１８Ａに格納することが可能とされている。これにより、指定車種に該当する車両１２の入庫に要する時間が短くなる。
しかし、従来では、指定車種の変更は機械式駐車装置１０の管理者等によって手動で行われていた。すなわち、指定車種が一度設定されると手動で変更しない限り指定車種が固定されていた。このため、指定車種とは異なる車両１２を入庫させる場合は、管理者が入庫車両の車種に対応したパレット１７を操作盤１１を介してあらためて呼び出していた。
そして、指定車種を変更しないと、指定車種に対応する車両１２が優先的に入庫されたり、指定車種とは異なる車両１２が指定車種に対応する格納棚１８Ａに格納される可能性があり、指定車種に対応する格納棚１８Ａが他の格納棚１８Ａに比べて満車となりやすかった。
【００６５】
そこで、指定車種切替設定によって、指定車種を固定する固定モード、又は予め設定した所定条件（以下「変更条件」という。）に応じて指定車種の変更を行う変更モードに切り替えられる。固定モードは、上述したように、例えば管理者によって指定車種が手動で変更されるまで、指定車種が固定されるモードである。変更モードは、所定条件に応じて指定車種が自動的に変更されるモードである。
このように、指定車種切替設定は、入庫優先モードで指定車種を手動又は自動で変更可能なので、指定車種が設定されている入庫優先モードをより効率的に運用することができる。
【００６６】
なお、変更モードは、第１変更モード及び第２変更モードが設定されている。
第１変更モードは、変更条件として、車種に対応して分けられている格納棚１８Ａのうち、最も空きの多い格納棚１８Ａの車種に指定車種を変更する。すなわち、第１変更モードは、格納棚１８Ａに格納されている車種の数に応じて、指定車種が変更される。
第２変更モードは、変更条件として、予め設定したスケジュールに応じて指定車種を変更する。上記スケジュールとは、例えば、時間帯、曜日、及び月日等である。
【００６７】
また、出庫予約件数が所定数以上となると出庫が連続するため、指定車種を設定する必要性が無い。そこで、変更モードは、出庫予約件数が所定数以上となった場合、指定車種の設定を解除するので、指定車種が設定されている入庫優先モードをより効率的に運用することができる。
【００６８】
〔キャンセル設定〕
入庫優先モードでは、空パレットを把持したリフト搬送機１４を乗入階１３に待機させるために格納階１８と乗入階１３との間で昇降させている最中に出庫が発生しても、リフト搬送機１４はいったん乗入階１３に到着した後に出庫のために格納階１８へ再び戻っていた。これでは、リフト搬送機１４に無駄な操作が生じ、出庫に要する時間が長くなる。
キャンセル設定が行われると、入庫優先モードにおいて、空パレットを把持したリフト搬送機１４が格納階１８と乗入階１３との間を昇降している最中に次の出庫が発生した場合、リフト搬送機１４の昇降を停止させる。すなわち、入庫優先モードがキャンセルされ、リフト搬送機１５は、格納階１８で一旦停止する。その後、リフト搬送機１４は、空パレットを把持して乗入階１３まで昇降することなく、出庫車両が格納されている格納階１８へ昇降し、格納棚１８Ａから出庫車両が載置された実パレットを取り出す。
【００６９】
これにより、入庫優先モードにおいて出庫に要する時間が長くなることを抑制でき、入庫優先モードをより効率的に運用することができる。
なお、本第１実施形態に係るキャンセル設定では、リフト搬送機１４が空パレットを取り出すために格納階１８へ到着したとき、この空パレットを取り出したとき、この空パレットを把持して乗入階１３へ到着したときに、出庫が発生したか否かを判定する。
【００７０】
図９，１０は、本第１実施形態に係る入庫優先モードの処理の流れを示すフローチャートである。なお、図９，１０のフローチャートにより示される処理は、制御装置２０によって実行される。
【００７１】
まず、ステップ１００では、入庫処理による実パレット又は出庫処理による空パレットをリフト搬送機１４によって昇降させ、乗入階１３から格納階１８の格納棚１８Ａに格納する。
リフト搬送機１４は、実パレット又は空パレットを格納棚１８Ａへ格納した後、その格納棚１８Ａの格納階１８に待機する。
【００７２】
次のステップ１０２では、遅延タイマーの設定を行う。遅延タイマーは、予め設定されている時間固定又は時間変動に応じて、遅延タイマー設定部４１によって設定される。なお、ステップ１０２の処理は、ステップ１００においてリフト搬送機１４が格納階１８に到達する前に実行されてもよい。
【００７３】
次のステップ１０４では、遅延タイマーのカウントダウンを開始する。
【００７４】
次のステップ１０６では、遅延タイマーの値がゼロ（０）になったか否かを判定し、肯定判定の場合はステップ１０８へ移行する一方、否定判定の場合は遅延タイマーのカウントダウンを継続する。
遅延タイマーがゼロになるまでの間、リフト搬送機１４は格納階１８に待機している。そして、遅延タイマーがゼロになるまでの間に次の出庫（出庫予約）が発生した場合は、機械式駐車装置１０は出庫処理を行う。すなわち、格納階１８に待機しているリフト搬送機１４は、出庫車両が格納されている格納階１８へ昇降運転し、実パレットを取り出し、把持して乗入階１３へ昇降運転する。
【００７５】
ステップ１０８では、指定車種の空パレットがある格納棚１８Ａを検索する。なお、ステップ１０８の処理は、遅延タイマーのカウントダウンを行っている間に実行されてもよい。
【００７６】
次のステップ１１０では、検索した空パレットがある格納階１８へリフト搬送機１４を昇降運転させ、到着させる（ステップ１１２）。
【００７７】
次のステップ１１４では、出庫予約があるか否かを判定し、肯定判定の場合はステップ１１６へ移行する。一方、否定判定の場合はステップ１２４へ移行する。
【００７８】
ステップ１１６では、出庫車両を格納している格納階１８へリフト搬送機１４を昇降運転させる。そして、リフト搬送機１４に、出庫車両が載置されている実パレットを取り出させ、把持させることで、実パレットを格納階１８から乗入階１３へ呼び出す。
【００７９】
次のステップ１１８では、入出庫扉１５を開く。
【００８０】
次のステップ１２０では、乗入階１３から出庫が行われる。
【００８１】
次のステップ１２２では、入出庫扉１５を閉じ、ステップ１００へ戻る。
【００８２】
ステップ１１４で否定判定となった場合に移行するステップ１２４では、リフト搬送機１４に、到着した格納階１８の格納棚１８Ａから指定車種に対応する空パレットを取り出させ、把持させる。
【００８３】
次のステップ１２６では、出庫予約が有るか否かを判定し、肯定判定の場合はステップ１２８へ移行する。一方、否定判定の場合はステップ１３０へ移行する。
【００８４】
ステップ１２８では、リフト搬送機１４が把持している空パレットを対応する格納棚１８Ａに格納し、ステップ１１６へ移行する。
【００８５】
ステップ１３０では、リフト搬送機１４を乗入階１３へ昇降運転させ、乗入階１３へ到着させる（ステップ１３２）。
【００８６】
次のステップ１３４では、出庫予約が有るか否かを判定し、肯定判定の場合はステップ１３６へ移行する。一方、否定判定の場合はステップ１３８へ移行する。
【００８７】
ステップ１３６では、空パレットが格納されていた格納階１８へリフト搬送機１４を昇降運転させ、空パレットを格納棚１８Ａへ格納し、ステップ１１６へ移行する。
【００８８】
ステップ１３８では、空パレットを把持したリフト搬送機１４を乗入階１３に待機させて、終了する。
【００８９】
以上説明したように、本第１実施形態に係る機械式駐車装置１０は、乗入階１３と格納階１８との間で、リフト搬送機１４によって車両１２を昇降させる。そして、機械式駐車装置１０の制御装置２０は、運転モード設定部４０及び遅延タイマー設定部４１を備える。
運転モード設定部４０は、機械式駐車装置１０の運転モードとして、リフト搬送機１４を乗入階１３に待機させる入庫優先モードを設定する。また、遅延タイマー設定部４１は、入庫優先モードが設定された場合、車両１２の入庫又は出庫が完了した後、リフト搬送機１４を所定の待機時間で格納階１８に待機させ、その後にリフト搬送機１４を乗入階１３に待機させる設定を可能とする。
従って、本第１実施形態に係る機械式駐車装置１０は、入庫優先モードをより効率的に運用することができる。また、本第１実施形態に係る機械式駐車装置１０は、不要なリフト搬送機１４の昇降を削減することができ、省エネルギー化に寄与する。
【００９０】
〔第２実施形態〕
以下、本発明の第２実施形態について説明する。
【００９１】
なお、本第２実施形態に係る機械式駐車装置１０の構成は、図１，２，３に示す第１実施形態に係る機械式駐車装置１０の構成と同様であるので説明を省略する。
【００９２】
図１１，１２は、本第２実施形態に係る入庫優先モードの処理の流れを示すフローチャートである。なお、図１１，１２における図９，１０と同一のステップについては図９，１０と同一の符号を付して、その説明を一部又は全部省略する。
【００９３】
検索した空パレットがある格納階１８へリフト搬送機１４を昇降運転させた後（Ｓ１１０）、ステップ１１３ではリフト搬送機１４が格納階１８へ到着したか否かを判定する。肯定判定の場合はステップ１２３へ移行し、否定判定の場合はステップ１１５へ移行する。
【００９４】
ステップ１１５では、出庫予約が有るか否かを判定し、肯定判定の場合はステップ１１７へ移行する。一方、否定判定の場合はステップ１１０へ戻る。
【００９５】
ステップ１１７では、リフト搬送機１４を最寄の格納階１８へ一時停止させ、ステップ１１６へ移行する。
【００９６】
格納階１８へ到着するとステップ１２３では、出庫予約が有るか否かを判定し、肯定判定の場合はステップ１１６へ移行する。一方、否定判定の場合はステップ１２４へ移行する。
【００９７】
そして、リフト搬送機１４は、格納棚１８Ａから空パレットを取り出し、把持した後に（ステップ１２４）、乗入階１３へ昇降運転する（ステップ１３０）。
【００９８】
次のステップ１３１では、乗入階１３にリフト搬送機１４が到着したか否かを判定し、肯定判定の場合はステップ１３４へ移行する。一方、否定判定の場合はステップ１３３へ移行する。
【００９９】
ステップ１３３では、出庫予約が有るか否かを判定し、肯定判定の場合はステップ１３５へ移行する。一方、否定判定の場合はステップ１３０へ戻る。
【０１００】
ステップ１３５では、リフト搬送機１４を最寄の格納階１８へ一時停止させ、ステップ１３６へ移行する。
【０１０１】
このように、本第２実施形態に係るキャンセル設定では、リフト搬送機１４が格納階１８又は乗入階１３への昇降運転を行っているときでも、出庫が発生したか否かを判定する。
【０１０２】
以上、本発明を、上記各実施形態を用いて説明したが、本発明の技術的範囲は上記実施形態に記載の範囲には限定されない。発明の要旨を逸脱しない範囲で上記各実施形態に多様な変更又は改良を加えることができ、該変更又は改良を加えた形態も本発明の技術的範囲に含まれる。また、上記各実施形態を適宜組み合わせてもよい。
【０１０３】
例えば、上記各実施形態では、リフト搬送機１４がパレット１７を把持し、パレット１７を乗入階１３と格納階１８との間で昇降させる形態について説明した。しかし、本発明は、これに限定されるものではなく、パレット１７を用いず、リフト搬送機１４が直接車両１２を昇降させる形態としてもよい。
また、機械式駐車装置１０は、リフト搬送機１４を昇降させるエレベータ式であればよく、水平循環式の機械式駐車装置や平面往復式の機械式駐車装置でもよい。
【０１０４】
また、制御装置２０は、外部との情報の送受信のためにインターネット等の外部ネットワークとも接続され、指定車種切替部４２に相当する処理を外部ネットワークに接続される情報処理装置で行ってもよい。
【０１０５】
また、上記各実施形態で説明した入庫優先モードの処理の流れも一例であり、本発明の主旨を逸脱しない範囲内において不要なステップを削除したり、新たなステップを追加したり、処理順序を入れ替えたりしてもよい。
【符号の説明】
【０１０６】
１０    機械式駐車装置
１２    車両
１３    乗入階
１４    リフト搬送機
１８    格納階
１８Ａ  格納棚
４０    運転モード設定部
４１    遅延タイマー設定部
４２    指定車種切替部
４３    キャンセル設定部
【図１】
0006352069.tif 000002
【図２】
0006352069.tif 000003
【図３】
0006352069.tif 000004
【図４】
0006352069.tif 000005
【図５】
0006352069.tif 000006
【図６】
0006352069.tif 000007
【図７】
0006352069.tif 000008
【図８】
0006352069.tif 000009
【図９】
0006352069.tif 000010
【図１０】
0006352069.tif 000011
【図１１】
0006352069.tif 000012
【図１２】
0006352069.tif 000013